(57)【要約】      （修正有）【課題】既存の布又は不織布マスクに限らずウレタン製マスクも保持可能な手持式マスク支持具を提供する。【解決手段】手持ちマスク支持具１は、厚紙で形成された本体シート２で構成される。本体シートは、下側の基片部３、基片部の上側に刺股状に形成された左右の枝片部４、基片部の左又は右側に位置し各枝片部の下端に延設された折返片部５により構成され、各枝片部と折返片部の境界に折畳折れ線８を設け、各枝片部のシート面に切れ込みである枝片側係合切込部１０を形成し、各折返片部のシート面の枝片側係合切込部に対向する位置に、枝片側係合切込部と係合可能な形状の切れ込みである折返片側係合切込部１１を形成する。折返片部を枝片部側に折り畳んでマスクの左右端を挟み、枝片側係合切込部と折返片側係合切込部を係合させて、左右の枝片部間にマスクを固定する。【選択図】図１
0003233075.tif 000002
【実用新案登録請求の範囲】
【請求項１】
平面視で、下側の基片部、及び前記基片部の上側において刺股状に左右に張出すように形成された左右の枝片部、並びに、前記基片部の左側又は右側に位置し、左右其々の前記枝片部の下端から下方に向かって延設された折返片部により構成される、本体シートを備え、
左右の前記枝片部とその下方の折返片部との境界に折畳折れ線が設けられ、
左右其々の前記枝片部のシート面に、切れ込みである枝片側係合切込部が形成され、
左右其々の前記折返片部のシート面の、該折返片部を前記枝片部と重なるように前記折畳折れ線に沿って上方に折り畳んだ際に該枝片部の前記枝片側係合切込部に対向する位置に、該枝片側係合切込部と係合可能な形状の切れ込みである折返片側係合切込部が形成されたことを特徴とする、手持式マスク支持具。
【請求項２】
左右其々の前記折返片部の外側辺の上下にそれぞれ設けられた切込である外縁フック
を備えたことを特徴とする、請求項１記載の手持式マスク支持具。
【請求項３】
左右其々の前記折返片部の内側辺の上下にそれぞれ設けられた切込である内縁フック
を備えたことを特徴とする、請求項１又は２記載の手持式マスク支持具。
【請求項４】
左右其々の前記折返片部の内側辺近傍のシート面に、内側に向かって凸の曲線状又は折線状の切れ込みである面内フックが形成されたことを特徴とする、請求項１又は２記載の手持式マスク支持具。
【請求項５】
前記基片部の上端近傍のシート面の中央に、上に凸の曲線状又は折線状の切れ込みである差挟切込部が形成されたことを特徴とする、請求項１乃至４の何れか一記載の手持式マスク支持具。
【考案の詳細な説明】
【技術分野】
【０００１】
本考案は、会食中の会話時に唾液飛沫の拡散による感染拡大防止のためにマスクを使用する場合に、マスクを耳に掛けずに手に持って使用するために用いられる手持式マスク支持具に関する。
【背景技術】
【０００２】
近年、感染症流行中の会食時における感染拡大防止のため、感染症流行中の会食では、食事中の会話時にもマスクを着用して会話すること（所謂、「マスク会食」）が推奨されている。然し乍ら、実際に摂食嚥下するにはマスクを外す必要があるため、市販のイヤーループマスクを用いて実際にマスク会食を実行するには、会食中にイヤーループ（耳紐）を耳に掛けたり外したりを頻繁に行うこととなるため、大変な煩わしさを伴うこととなる。そこで、ここ最近に於いては、種々のマスク会食用のマスクが提案されている。斯かるマスク会食用のマスクとしては、特許文献１〜９，非特許文献１〜３に記載のものが公知である。
【０００３】
特許文献１，非特許文献１〜３に記載には、中央下部に持手が着いたＹ字型（刺股型）の紙枠（支持体）に、紙製又は不織布のマスクを膨らみを持たせて接着し、持手中央の折り目の握り具合により調整して顔の大きさにフィットさせるようにした手持式マスク（テーブルマナーマスク）が記載されている（仝文献請求の範囲及び図１〜図３参照）。この手持式マスクは、会話時には持手を片手で持って口の前を覆って会話し、摂食嚥下する際には手持式マスクを口の前から退けて机上に置くなどして摂食嚥下すればよいため、通常のイヤーループマスクに比べて煩わしさがなくなる。
【０００４】
特許文献８には、マスク部と一対の耳かけ紐とならなるマスクと、該マスクを人の手で顔面に保持するための保持具とを備え、保持具は、人の手で持つ握り部と、前記マスクを広げた状態で前記マスク部を保持し、かつ前記耳かけ紐を引掛けて前記マスク部を保持するマスク保持部とを備え、マスク保持部は、左右一対となる左マスク保持片および右マスク保持片とからなり、該左マスク保持片および右マスク保持片は握り部に連続して形成された飛沫防止具が記載されている。この飛沫防止具は、基本的には特許文献１，非特許文献１〜３に記載の手持式マスクと同様のものであるが、マスクは支持体（マスク保持部）に接着されておらず、既存のマスクのイヤーループをマスク保持部の左マスク保持片および右マスク保持片に形成された引掛け孔に引っ掛けて両マスク保持片間に保持するように構成されている。
【０００５】
特許文献９にも、特許文献１，非特許文献１〜３に記載の手持式マスクと同様のマスクが記載されている。特許文献９のマスクでは、さらに、マスク本体２を使用者の首に吊り下げるための紐体３とを備えている。
【０００６】
また、そのほかに、会食時に用いる会食用のマスクとしては、特許文献２には、両眼下及び鼻梁から顎下までを覆う方形の不織布シートの上辺の左右両端部に其々イヤーループを設け、左右のイヤーループを両耳に掛けて口の前を不織布シートで覆うようにするとともに、不織布シートの下部を捲り上げることで摂食嚥下することができるようにした飛沫感染防止具が記載されている（仝文献図２，図７参照）。特許文献３には、顔面前方全体を覆う透明樹脂製シートからなる彎曲矩形状のシールド体の上部に、頭部を挾持するようにして該シールド体を前頭部に固定するテンプルが設けられたフェイスシールドが記載されている（仝文献図２，図４参照）。特許文献４には、左右の両耳に掛けるテンプルと、左右のテンプルの前端を接続するリム（ブリッジ）と、上端がリムに対してヒンジにより回動可能に取り付けられた、鼻梁から頤までを覆う球冠状のシールド体とを備えたフェイスシールドが記載されている（仝文献図１〜図７参照）。特許文献５には、耳掛けを有し、装着者の口と目を露出させた状態で鼻の上部を覆って顔面に装着される装着部と、装着部に上端が固定され、装着者の鼻から口を覆うフィルター部とを備え、装着者が下を向いたときに、フィルター部の下方と装着者の口との間に飲食のための隙間が形成されるマスクが記載されている（仝文献図１〜図４，請求項１参照）。特許文献６には、中央に開口部を設けた筒状部がその下縁の左右方向に沿って設けられたマスク本体と、開口部から外部へ長さ調整部を突出させて筒状部を左右方向に貫通した後に、左右の耳を拘束する拘束ループ部を形成してその両端がマスク本体の上縁に取り付けられた装着用紐と、長さ調整部において装着用紐を摩擦保持する紐止めストッパーと、を有し、紐止めストッパーを操作して装着用紐の長さを調節することにより、マスク本体が顔面に装着される状態と、マスク本体のマスク本体下部側が解放される状態を形成可能となしたマスクが記載されている（仝文献図１〜図８，請求項１参照）。特許文献７には、使用者の口および鼻を覆う概ね矩形板状のマスク本体と、該マスク本体の左右両側の上端部同士および下端部同士をそれぞれ繋ぐように取り付けられた二本の伸縮性を有する紐状体とを備えてなり、二本の紐状体を使用者の頭部に掛けて留めることを特徴とするマスクが記載されている（仝文献図１，図２，請求項１参照）。
【先行技術文献】
【特許文献】
【０００７】
【特許文献１】実用新案登録第３２３１５４２号明細書
【特許文献２】実用新案登録第３２３１１３１号明細書
【特許文献３】実用新案登録第３２３１４４０号明細書
【特許文献４】実用新案登録第３２３１０３９号明細書
【特許文献５】実用新案登録第３２３１６４７号明細書
【特許文献６】実用新案登録第３２３１２２５号明細書
【特許文献７】実用新案登録第３２３１６３１号明細書
【特許文献８】実用新案登録第３２３０８３６号明細書
【特許文献９】実用新案登録第３２３１３０８号明細書
【非特許文献】
【０００８】
【非特許文献１】一般社団法人共同通信社，「食事中に安心、手に持つマスク  京都・嵯峨美大学長が考案」，［online］，２０２０年９月２日，一般社団法人共同通信社，［２０２１年４月１５日検索］，インターネット＜ＵＲＬ：https://www.saga-s.co.jp/articles/-/568620＞
【非特許文献２】「テーブルマナー・マスクのつくりかた」，［online］，２０２０年１２月１８日，［２０２１年４月１５日検索］，インターネット＜ＵＲＬ：https://www.youtube.com/watch?v=Gx6i8ksPcug＞
【非特許文献３】嵯峨美術大学・嵯峨美術短期大学，「佐々木正子学長考案の「テーブルマナー・マスク」についてはこちら（作成ガイド付）」，［online］，２０２１年２月１０日，嵯峨美術大学・嵯峨美術短期大学，［２０２１年４月１５日検索］，インターネット＜ＵＲＬ：https://www.kyoto-saga.ac.jp/news/52009＞
【考案の概要】
【考案が解決しようとする課題】
【０００９】
実際に食事中に摂食嚥下する際には、顔面にマスクを装着した状態では、食物から汁気の濺沫が飛んだり、食べ屑が噴散したりして顔前にあるマスクを汚すことが多くなる。そのため、摂食嚥下の際に、汁気の濺沫が飛ばないよう、且つ食べ屑が噴散しないように、かなりの注意を払う必要があるため、摂食しづらいという問題がある。従って、上述した公知のマスク会食用のマスクの中では、摂食嚥下の際にマスクを顔前から完全に取り去ることが可能な、特許文献１，非特許文献１〜３に記載の「テーブルマナーマスク」や特許文献８，９記載の手持ち式のマスクが、使い易さの観点からは最も優れていると考えられる。然し乍ら、特許文献１，非特許文献１〜３の上記「テーブルマナーマスク」や特許文献９記載の手持ち式のマスクは、マスクの濾布が手持ち式の支持枠体に接着されているので、普段用いているマスクとは別に、会食専用のマスクを別途用意する必要があるため、無駄に多くのマスクを持ち歩く必要があり不便であるという問題があった。一方、特許文献８記載の手持ち式のマスクは、手持ち式の支持枠体に既存のマスクのイヤーループを引っ掛けて固定し使用する構成であるため、普段用いているマスクをそのまま使用できるという点で優れている。
【００１０】
然し乍ら、特許文献８記載の手持ち式のマスクは、その構成上（仝文献図２，図３参照）、使用可能なマスクが、矩形の濾布の左右両縁にゴム紐のイヤーループが付いた通常の布マスク又は不織布マスクに限定され、現在多く使用されているウレタン製マスクには適用できないという問題がある。何故なら、布マスク又は不織布マスクは、イヤーループが濾布の左右辺の上下に縫着又は圧着された細紐であるのに対し、ウレタン製マスクのイヤーループは、濾布と一体成形されており、濾布との接合部付近のイヤーループの紐幅が広いため、特許文献８記載の手持ち式のマスクの保持具の引掛け孔（仝文献図２〜図４の引掛け孔３１〜３４）にうまく入れて引っ掛けることができないからである。
【００１１】
そこで、本考案の目的は、無駄に多くのマスクを持ち歩く必要がなく、摂食嚥下の際の使い勝手に優れ、且つ、既存の布マスク又は不織布マスクに限らずウレタン製マスクも保持可能な手持式マスク支持具を提供することにある。
【課題を解決するための手段】
【００１２】
本考案に係る手持式マスク支持具の第１の構成は、平面視で、下側の基片部、及び前記基片部の上側において刺股状に左右に張出すように形成された左右の枝片部、並びに、前記基片部の左側又は右側に位置し、左右其々の前記枝片部の下端から下方に向かって延設された折返片部により構成される、本体シートを備え、
左右の前記枝片部とその下方の折返片部との境界に折畳折れ線が設けられ、
左右其々の前記枝片部のシート面に、切れ込みである枝片側係合切込部が形成され、
左右其々の前記折返片部のシート面の、該折返片部を前記枝片部と重なるように前記折畳折れ線に沿って上方に折り畳んだ際に該枝片部の前記枝片側係合切込部に対向する位置に、該枝片側係合切込部と係合可能な形状の切れ込みである折返片側係合切込部が形成されたことを特徴とする。
【００１３】
この構成によれば、手持式マスク支持具の左右の枝片部の間に、使用者が使用しているマスクの濾布が位置し且つ濾布の左右両端が左右の枝片部のシート面に重なるように置き、マスクのイヤーループが左右の枝片部の外側にはみ出るように設置する。この状態で、下方の折返片部を折畳折れ線で上方に折り返して、濾布の左右両端を左右の枝片部と折り返した折返片部とで挟み込む。そして、各折返片部の折返片側係合切込部を、それに対向する位置にある枝片部の枝片側係合切込部に差し込んで係合させることによって、折返片部を折返した状態で固定する。このとき、折返片側係合切込部と枝片側係合切込部との係合箇所は、マスクのイヤーループのループ内に位置することになる。これにより、マスクの濾布は刺股状の左右の枝片部の間に装着される。そして、このようにイヤーループマスクを装着した状態で本体シートの基片部を片手で持って口の前を覆って会話し、摂食嚥下する際には手持式マスク支持具を口の前から退けて机上に置くなどして摂食嚥下すればよいため、通常のイヤーループマスクに比べて煩わしさがなくなる。また、使用者が普段使用しているイヤーループマスクをそのまま利用するため、無駄に多くのマスクを持ち歩く必要がなくなる。また、マスクの濾布の固定は、基本的にイヤーループを使用するのではなく、左右の枝片部と折り返した折返片部とで挟み込むことでなされるので、既存の布マスク又は不織布マスクに限らずウレタン製マスクの保持も可能となる。
【００１４】
ここで、本体シートの素材については、可撓性があり折れ線に沿って折れ曲げることが可能なシートであれば用いることが出来る。例えば、厚紙、ユポ紙、樹脂シートなどが使用可能である。特に、自重撓みに対する強さ及び折れ線での折れ曲げ時の塑性変形特性（折り曲げ時の折れ曲げ状態の維持特性）の点から、厚紙を用いるのが好ましい。また、使用するマスクを使用者の顔面に合わせて左右に撓ませるようにするため、本体シートの基片部の上下方向の中央線に沿って中央折れ線を設けることもできる。
【００１５】
本考案に係る手持式マスク支持具の第２の構成は、前記第１の構成に於いて、左右其々の前記折返片部の外側辺の上下にそれぞれ設けられた切込である外縁フックを備えたことを特徴とする。
【００１６】
この構成によれば、布マスク又は不織布マスクを用いる場合には、そのイヤループを、左右の折返片部の外側辺にそれぞれ設けられた外縁フックに引っ掛けることで、イヤループがぶらぶら揺れて邪魔にならないように固定することができ、使いやすさが向上する。
【００１７】
本考案に係る手持式マスク支持具の第３の構成は、前記第１又は２の構成に於いて、左右其々の前記折返片部の内側辺の上下にそれぞれ設けられた切込である内縁フックを備えたことを特徴とする。
【００１８】
この構成によれば、布マスク又は不織布マスク若しくはウレタン製マスクのイヤループを、左右の折返片部の外側片から手前（該折返片部に重なった枝片部の側とは反対側）に回し込んで、イヤループの中程を左右の折返片部の内側辺の上下の内縁フックに引っ掛けることで、イヤループがぶらぶら揺れて邪魔にならないように固定することができ、使いやすさが向上する。
【００１９】
本考案に係る手持式マスク支持具の第４の構成は、前記第１又は２の構成に於いて、左右其々の前記折返片部の内側辺近傍のシート面に、内側に向かって凸の曲線状又は折線状の切れ込みである面内フックが形成されたことを特徴とする。
【００２０】
この構成によれば、布マスク又は不織布マスク若しくはウレタン製マスクのイヤループを、左右の折返片部の外側片から手前（該折返片部に重なった枝片部の側とは反対側）に回し込んで、イヤループの中程を左右の折返片部の面内フックの凸片に引っ掛けることで、イヤループがぶらぶら揺れて邪魔にならないように固定することができ、使いやすさが向上する。
【００２１】
本考案に係る手持式マスク支持具の第５の構成は、前記第１乃至４の何れか一の構成に於いて、前記基片部の上端近傍のシート面の中央に、上に凸の曲線状又は折線状の切れ込みである差挟切込部が形成されたことを特徴とする。
【００２２】
この構成によれば、装着するマスクの濾布の下端辺の中央部を差挟切込部に挟むことで、装着したマスクの濾布の下端と本体シートとの間に隙間が生じるのを防止できる。
【考案の効果】
【００２３】
以上のように、本考案に係る手持式マスク支持具によれば、使用者が普段使用しているイヤーループマスクを、そのまま会食用のマスクとして利用することができるようになるため、無駄に多くのマスクを持ち歩く必要がなくなる。また、イヤーループマスクを装着した状態で手持式マスク支持具の基片部を片手で持って口の前を覆って会話し、摂食嚥下する際には手持式マスク支持具を口の前から退けて机上に置くなどして摂食嚥下すればよいため、通常のイヤーループマスクに比べて煩わしさがなくなる。また、使用するマスクの濾布の固定は、基本的にイヤーループを使用するのではなく、左右の枝片部と折り返した折返片部とで挟み込むことでなされるので、既存の布マスク又は不織布マスクに限らずウレタン製マスクの保持も可能となる。
【図面の簡単な説明】
【００２４】
【図１】本考案の実施例１に係る手持式マスク支持具の（ａ）展開状態の平面図及び（ｂ）各折れ線で折曲方向に折り曲げた状態の斜視図である。
【図２】手持式マスク支持具１に通常のイヤーループマスク（矩形型の布マスク又は不織布マスク）を装着する方法を説明する図である。
【図３】手持式マスク支持具１にウレタン製マスクを装着する方法を説明する図である。
【図４】本考案の実施例２に係る手持式マスク支持具の（ａ）展開状態の平面図及び（ｂ）各折れ線で折曲方向に折り曲げた状態の斜視図である。
【考案を実施するための形態】
【００２５】
以下、本考案を実施するための形態について、図面を参照しながら説明する。
【実施例１】
【００２６】
図１は、本考案の実施例１に係る手持式マスク支持具の（ａ）展開状態の平面図及び（ｂ）各折れ線で折曲方向に折り曲げた状態の斜視図である。図１において、手持式マスク支持具１は、厚紙で形成された本体シート２で構成されている。
【００２７】
本体シート２は、平面視で、下側の基片部３と、基片部３の上側において刺股状（地図記号の消防署記号の形状）に左右に張出すように形成された左右の枝片部４，４と、基片部３の左側又は右側に位置し、左右其々の枝片部４，４の下端から下方に向かって延設された折返片部５，５とにより構成されている。基片部３の上側辺と、左側の枝片部４の内側（右側）辺と、右側の枝片部４の内側（左側）辺とで囲まれたＵ字谷状の空間である中央凹部６には、保持されるマスクの濾布部分が装着される。本体シート２の基片部３には、上下方向の中央線に沿って中央折れ線７が設けられている。図１（ａ）で、本体シート２の正面側が、マスクが装着される側の面として、中央折れ線７は、本体シート２の正面側から視て谷折線となっている（図１（ｂ）参照）。また、左右の枝片部４，４とその下方の折返片部５，５との境界には、水平に折畳折れ線８，８が設けられられている。この折畳折れ線８，８は、本体シート２の正面側から視て谷折線となっている（図１（ｂ）参照）。
【００２８】
本体シート２の基片部３の上端辺近傍のシート面の中央には、上に向かって凸の折線状（下底を除いた等脚台形状）の切れ込みである差挟切込部９が形成されている。この差挟切込部９には、装着されるマスクの濾布の下辺中央が差し挟まれ、マスクの濾布の下辺が本体シート２の正面側に固定される（図２参照）。
【００２９】
本体シート２の左側の枝片部４の外側辺（左側辺）近傍のシート面及び右側の枝片部４の外側辺（右側辺）近傍のシート面には、それぞれ、内側に向かって凸の曲線状（円弧状）の切れ込みである枝片側係合切込部１０，１０が形成されている。本体シート２の左右の折返片部５，５のそれぞれのシート面には、該折返片部５を折畳折れ線８に沿って上方に折り畳んで枝片部４の正面側に重なるように折り返した際に、該枝片部４の枝片側係合切込部１０に対向する位置に、外側に向かって凸の曲線状（円弧状）の切れ込みである折返片側係合切込部１１，１１が形成されている。
【００３０】
尚、本考案に於いて、差挟切込部９，９の形状は内側に向かって凸の曲線状（例えば、円弧状）、又は外側に向かって凸の曲線状、若しくは直線状としてもよい。また、枝片側係合切込部１０，１０の形状は、折返片部５を枝片部４の正面側に重なるように折り返した際にその枝片部４の枝片側係合切込部１０と差し込み係合可能な形状であればよく、枝片側係合切込部１０の形状に応じて、外側又は内側に向かって凸の曲線状又は折線状、若しくは直線状としてもよい。
【００３１】
左右其々の折返片部５，５の外側辺の上部及び下部には、それぞれ、涙滴形状の切込である外縁フック１２，１２，１２，１２が設けられている。また、左右其々の折返片部５，５の内側辺の上部及び下部には、それぞれ、涙滴形状の切込である内縁フック１３，１３，１３，１３が設けられている。
【００３２】
尚、本考案に於いて、外縁フック１２及び内縁フック１３の形状は、マスクのイヤーループ（耳紐）が掛かる形状であれば、どのような形状としてもよい。
【００３３】
以上のように構成された本実施例の手持式マスク支持具１について、以下その使用方法を説明する。図２は、手持式マスク支持具１にイヤーループマスク（通常の矩形型の布マスク又は不織布マスク）を装着する方法を説明する図である。
【００３４】
まず、手持式マスク支持具１の本体シート２の正面側に、装着するイヤーループマスク２０を、濾布２１が中央凹部６を塞ぐように置き、濾布２１の下辺の中央部を、差挟切込部９の凸状片９ａ（図３参照）で差し挟むようにして固定する。そして、折畳折れ線８に沿って、折返片部５を上方に略１８０度折り曲げて、マスク２０の濾布２１の左端又は右端及びイヤーループ２２の両端付近を挟んで枝片部４の正面側に重なるように折り畳む。この状態で、折返片部５の折返片側係合切込部１１と枝片部４の折返片側係合切込部１１は、マスク２０のループ内で互いに対向した状態となるので、枝片側係合切込部１０の凸状片を折返片側係合切込部１１に差し込んで係合させる。これによって、マスク２０の濾布２１は、本体シート２の中央凹部６を塞ぐようにして固定される。最後に、図２に示すように、左右のイヤーループ２２を上下の外縁フック１２，１２を通して折返片部５の正面側に掛け回し、掛け回したイヤーループ２２の真ん中部分を上下の内縁フック１３，１３に引っ掛けて、イヤーループ２２がぶらぶら揺れて邪魔にならないように固定するとともに、折返片部５を枝片部４にイヤーループ２２で強く束縛する。このようにして、図２（ｂ）に示すように、マスク２０は手持式マスク支持具１に装着される。食事中に会話する際には、本体シート２の基片部３を手に持って、装着したマスク２０の濾布２１を口の前に翳して会話することで、唾液の飛散を防止することができる。
【００３５】
図３は、手持式マスク支持具１にウレタン製マスクを装着する方法を説明する図である。ウレタン製マスクの場合も、図２で説明した場合と同様に、枝片部４と折返片部５とでマスクの濾布の左右端を挟み込んで枝片側係合切込部１０及び折返片側係合切込部１１の差し込み係合によって固定することにより、マスクは手持式マスク支持具１に装着される。ウレタン製マスクの場合、通常、イヤーループの両端は濾布と一体に形成され、イヤーループの中央付近（耳に掛かる付近）に比べてイヤーループの両端付近は太幅に形成されている。従って、イヤーループの両端付近は、太すぎて外縁フック１２，１２は入らないので、イヤーループの両端付近は単に折返片部５の外側辺から正面に回り込むように回し掛けるのみとし、イヤーループの中央を上下の内縁フック１３，１３に引っ掛けて、イヤーループ２２がぶらぶら揺れて邪魔にならないように固定する。このように、本実施例の手持式マスク支持具１では、通常の矩形型の布マスク又は不織布マスクに限らず、ウレタン製マスクであっても装着することができる。
【実施例２】
【００３６】
図４は、本考案の実施例２に係る手持式マスク支持具の（ａ）展開状態の平面図及び（ｂ）各折れ線で折曲方向に折り曲げた状態の斜視図である。図４において、図１に対応する構成部分については、同符号を附して説明は省略する。本実施例の手持式マスク支持具１では、実施例１における内縁フック１３に代えて、左右其々の折返片部５，５の内側辺近傍のシート面に、内側に向かって凸の曲線状（又は折線状でもよい。）の切れ込みである面内フック１４，１４が形成されている点が相違している。このような構成でも、実施例１で説明した場合と同様に、マスクを本体シート２に装着することができる。尚、本実施例の構成の場合、イヤーループの中央を面内フック１４に引っ掛けて、イヤーループ２２がぶらぶら揺れて邪魔にならないように固定する。
【符号の説明】
【００３７】
１  手持式マスク支持具
２  本体シート
３  基片部
４  枝片部
５  折返片部
６  中央凹部
７  中央折れ線
８  折畳折れ線
９  差挟切込部
１０  枝片側係合切込部
１１  折返片側係合切込部
１２  外縁フック
１３  内縁フック
１４  面内フック
【図１】
0003233075.tif 000003
【図２】
0003233075.tif 000004
【図３】
0003233075.tif 000005
【図４】
0003233075.tif 000006